(57)【要約】      （修正有）【課題】隙間を閉塞する目隠し部材の取り付けを不要として改修工事の容易化を図り、郵便物を受け取る郵便受箱の取付けに常に体裁のよい取付け状態が得られるようにした玄関ドアを提供する。【解決手段】ドア本体の補強部に内パネル３０の外周部をねじ止めし、その内パネル３０および断熱ボード３２のそれぞれにドア本体に形成された郵便投入口に対向して切欠部３９を設ける。切欠部３９にガイド筒を組み込み、そのガイド筒を内パネル３０に後端部が固定される固定ガイド筒部４１と可動ガイド筒部４２とで形成して伸縮調整可能とし、可動ガイド筒部４２の先端開口部内に郵便投入口を開閉する揺動可能な内蓋４５を設け、内パネル３０の室内側面に郵便受箱７０を設ける。郵便受箱７０は、切欠部３９の室内側開口の全体を覆う取付けとして、切欠部３９の内周とガイド筒の外周間に形成される隙間を目隠し部材の取り付けによって閉塞するための工事を不要とする。【選択図】図５
2015063832.tif 000002
【特許請求の範囲】
【請求項１】
薄板鋼板で形成され、室内側に膨出する補強部を外周部に有し、その補強部で囲まれた内側の領域に郵便投入口が形成されたドア本体と、そのドア本体の室内側面に対向配置された断熱性および遮音性を有する断熱ボードを保持し、外周部が前記補強部にねじ止めされた内パネルとからなり、前記郵便投入口から差し込まれた郵便物を開閉可能な蓋体を有する郵便受箱で受け取るようにした玄関ドアにおいて、
前記内パネルおよび断熱ボードのそれぞれに前記郵便投入口に対向して切欠部を形成し、その切欠部にガイド筒を組み込み、そのガイド筒を内パネルに後端部が固定される固定ガイド筒部と、その固定ガイド筒部内にスライド自在に嵌合されて先端開口部が前記郵便投入口に対向する可動ガイド筒部とで形成して伸縮調整可能とし、前記可動ガイド筒部の先端開口部内に前記郵便投入口を開閉する揺動可能な内蓋を設け、前記内パネルの室内側面に前記切欠部の室内側開口の全体を覆うようにして郵便受箱を設けたことを特徴とする玄関ドア。
【請求項２】
前記郵便投入口の周囲に環状の弾性シールを設け、前記内蓋を弾性部材により閉鎖方向に向けて付勢して前記弾性シールに弾性接触させた請求項１に記載の玄関ドア。
【請求項３】
前記内蓋が郵便投入口を閉鎖する可動ガイド筒部のスライド調整位置で、その可動ガイド筒部を固定する固定手段を設けた請求項１又は２に記載の玄関ドア。
【請求項４】
前記固定手段が、前記可動ガイド筒部に、その可動ガイド筒部のスライド方向に長く延びる長孔を設け、その長孔に挿入されて前記固定ガイド筒部にねじ込まれた固定ねじの締め付けによって可動ガイド筒部を固定する構成とされた請求項３に記載の玄関ドア。
【発明の詳細な説明】
【技術分野】
【０００１】
この発明は、建屋の出入口を開閉する玄関ドアに関する。
【背景技術】
【０００２】
近年、古くなったマンション等の集合住宅においては、玄関ドアを含めて内装を改修する工事が行われることが非常に多くなってきている。このような改修工事が行われる集合住宅の玄関ドアにおいては、室内側に膨出する補強部を外周部に有し、その補強部で囲まれた内側部分に郵便投入口と、その郵便投入口から投入される郵便物を受け取る郵便受箱が設けられた薄板鋼板により形成されたものが多くを占めている。
【０００３】
上記のような薄板鋼板からなる玄関ドアにおいては、遮音性、断熱性、気密性がいずれも劣り、内装のみの改修工事では快適な居住性を得ることができない。そのような問題は、玄関ドアを新しいものと交換することによって解決することができるが、玄関ドアと共にドア枠も新しいものと交換する必要があるため、コストが高くなり、改修工事に多くの時間を必要とする不都合が生じる。
【０００４】
上記の不都合を解消するため、特許文献１では、ドア本体に形成された膨出状の補強部にベースパネルをねじ止めし、そのベースパネルの室内側にベースパネルを覆うカバー部材を設け、そのカバー部材とベースパネルとで形成される内パネルの内部空間内にグラスウールからなる断熱部材を収容し、上記カバー部材の外周に形成されたシール溝内にシール部材を組み込んで、ドア枠との間をシールするようにした玄関ドアを提案している。
【先行技術文献】
【特許文献】
【０００５】
【特許文献１】特開２０１０−２０３０７１号公報
【発明の概要】
【発明が解決しようとする課題】
【０００６】
ところで、上記特許文献１に記載された玄関ドアにおいては、ドア本体の室内側に郵便受箱としての郵便受け部を設けるようにしているため、内パネルには、その郵便受け部を挿入可能とする極めて大きな切欠部を形成する必要がある。
【０００７】
このとき、切欠部の内周と郵便受け部の外周間に隙間が形成されて気密性が低下し、また、室内からの見栄えも悪くなるため、目隠し部材の取り付けにより隙間を閉塞する必要が生じ、改修工事に非常に手間がかかるという問題がある。
【０００８】
また、厚さや形状の異なる内パネルがドア本体に取り付けられた際には、内パネルの室内側の面の位置が変化して、切欠部に挿入された郵便受け部の室内側への突出量が一定とならず、郵便受箱としての郵便受け部に体裁のよい取付け状態を得ることができない。
【０００９】
この発明の課題は、隙間を閉塞する目隠し部材の取り付けを不要として改修工事の容易化を図り、厚さや形状が異なる内パネルに変更されたとしても郵便物を受け取る郵便受箱の取付けに常に体裁のよい取付け状態が得られるようにした玄関ドアを提供することである。
【課題を解決するための手段】
【００１０】
上記の課題を解決するため、この発明においては、薄板鋼板で形成され、室内側に膨出する補強部を外周部に有し、その補強部で囲まれた内側の領域に郵便投入口が形成されたドア本体と、そのドア本体の室内側面に対向配置された断熱性および遮音性を有する断熱ボードを保持し、外周部が前記補強部にねじ止めされた内パネルとからなり、前記郵便投入口から差し込まれた郵便物を開閉可能な蓋体を有する郵便受箱で受け取るようにした玄関ドアにおいて、前記内パネルおよび断熱ボードのそれぞれに前記郵便投入口に対向して切欠部を形成し、その切欠部にガイド筒を組み込み、そのガイド筒を内パネルに後端部が固定される固定ガイド筒部と、その固定ガイド筒部内にスライド自在に嵌合されて先端開口部が前記郵便投入口に対向する可動ガイド筒部とで形成して伸縮調整可能とし、前記可動ガイド筒部の先端開口部内に前記郵便投入口を開閉する揺動可能な内蓋を設け、前記内パネルの室内側面に前記切欠部の室内側開口の全体を覆うようにして郵便受箱を設けた構成を採用したのである。
【００１１】
上記のように、内パネルに形成された切欠部に伸縮調整可能なガイド筒を組み込むことによって、ドア本体に厚さや形状が異なる如何なる内パネルが取り付けられたとしても、郵便受箱を内パネルの室内側面に取付け可能とすることができ、郵便受箱の取付けに常に体裁のよい取付け状態を得ることができる。
【００１２】
また、内パネルの室内側面に郵便受箱を設けることにより、その郵便受箱で切欠部の室内側開口の全体を覆うことができる。このため、切欠部の内周とガイド筒の外周間に形成される隙間を目隠し部材の取り付けによって閉塞する必要がなくなり、改修工事の容易化を図ることができる。
【００１３】
ここで、郵便投入口の周囲に環状の弾性シールを設け、内蓋を弾性部材により閉鎖方向に向けて付勢することにより、内蓋は閉鎖状態で弾性シールに弾性接触することになるため、郵便投入口と内蓋の対向部間の気密性を向上させることができる。
【００１４】
また、内蓋が郵便投入口を閉鎖する可動ガイド筒部のスライド調整位置で、その可動ガイド筒部を固定する固定手段を設けることにより、玄関ドアの開閉時に生じる振動等によってガイド筒が収縮するのを防止することができ、郵便投入口と内蓋の対向部間の気密性の維持に効果を挙げることができる。
【００１５】
固定手段として、可動ガイド筒部に、その可動ガイド筒部のスライド方向に長く延びる長孔を設け、その長孔に挿入されて固定ガイド筒部にねじ込まれた固定ねじの締め付けによって可動ガイド筒部を固定する構成のものを採用することができる。
【発明の効果】
【００１６】
この発明においては、上記のように、伸縮調整可能なガイド筒をドア本体に形成された郵便投入口と対向するようにして、そのドア本体と内パネル間に設けるようにしたので、内パネルの室内側面に郵便受箱を設けることができる。そして、その郵便受箱で切欠部の室内側の開口全体を覆うようにしたので、切欠部の内周とガイド筒の外周間に形成される隙間を目隠し部材の取り付けによって閉塞する必要がなくなり、改修工事の容易化を図ることができる。
【００１７】
また、内パネルの室内側面に郵便受箱を設けることによって、郵便受箱の全体が室内側に臨む体裁のよい取付け状態を得ることができる。
【図面の簡単な説明】
【００１８】
【図１】この発明に係る玄関ドアとドア枠とで形成される玄関ドア装置の正面図
【図２】図１のII−II線に沿った断面図
【図３】図１のIII−III線に沿った断面図
【図４】図２の一部を拡大して示す断面図
【図５】図１のV−V線に沿った断面図
【図６】図５のVI−VI線に沿った断面図
【図７】図５のVII−VII線に沿った断面図
【図８】ガイド筒を形成する固定ガイド筒部、可動ガイド筒部および内蓋を示す分解斜視図
【発明を実施するための形態】
【００１９】
以下、この発明の実施の形態を図面に基づいて説明する。図１乃至図４に示すように、玄関ドア装置は、角枠状のドア枠１０と、そのドア枠１０の内側に形成された出入口１１を開閉する玄関ドア２０からなり、上記ドア枠１０の内周には、室内側の端部に戸当たり用の突出部１２が設けられている。
【００２０】
玄関ドア２０は、ドア本体２１と、そのドア本体２１の室内側に設けられた内パネル３０とを有し、上記ドア本体２１がドア枠１０の一側の縦枠１０ａに取り付けられたヒンジ１３を中心にして開閉自在に支持されている。
【００２１】
ドア本体２１は薄板鋼板からなり、外周部には室内に向けて膨出する補強部２２が形成され、その補強部２２で囲まれた内側領域の下部に、図５に示すように、郵便投入口２３が形成されている。
【００２２】
また、ドア本体２１の室内側面には、戸先側の端部にドア錠２４が装備されており、上側部にはドアチェック２５が装備されている。
【００２３】
内パネル３０は、亜鉛メッキ鋼板等の薄板鋼板からなり、ドア本体２１の補強部２２で囲まれた内側の領域よりも大きく、ドア枠１０に設けられた突出部１２の内側に収容可能な大きさとされている。
【００２４】
内パネル３０の外周には、外周４辺の同方向への折曲げによって角枠部３１が形成され、その角枠部３１で囲まれた内側領域に断熱ボード３２が接着により取り付けられている。
【００２５】
断熱ボード３２は、スチレンを原料とする熱可塑性樹脂により成形されて断熱性および遮音性を有している。なお、熱可塑性樹脂に代えて合成ゴムからなる断熱ボード３２を採用してもよい。
【００２６】
角枠部３１における上枠、下枠および両側枠のそれぞれ内面には内取付枠３３が添接され、また、外面には外取付枠３４が添接され、その内取付枠３３および外取付枠３４が、外周囲から内取付枠３３にねじ込まれるねじ３５の締め付けによって角枠部３１に固定されている。
【００２７】
図４に示すように、内取付枠３３は、断面がＬ形の形鋼により形成されて直交配置された一対のフランジ３３ａ、３３ｂを有し、一方のフランジ３３ａが角枠部３１の内面に衝合されて他方のフランジ３３ｂが角枠部３１の外周に張り出す取り付けとされている。この他方のフランジ３３ｂはドア本体２１の補強部２２に衝合され、その補強部２２にねじ込まれるねじ３６の締め付けによって固定されている。
【００２８】
一方、外取付枠３４は、断面がＴ形の形鋼により形成されてウェブ３４ａおよびその一側に設けられたフランジ３４ｂを有し、上記ウェブ３４ａが角枠部３１の外面に衝合されてフランジ３４ｂの一側部が内パネル３０の室内側面に衝合する取り付けとされている。
【００２９】
外取付枠３４の上記のような取り付けにより、フランジ３４ｂの他側部は内取付枠３３の他方のフランジ３３ｂとの間でシール溝３７が形成され、そのシール溝３７内にシール部材３８が組み込まれている。
【００３０】
シール部材３８は、リップ３８ａを先端部に有し、そのリップ３８ａは玄関ドア２０を閉鎖する状態でドア枠１０の突出部１２の内面に弾性接触して玄関ドア２０とドア枠１０の対向部の気密性を保持するようになっている。
【００３１】
図５に示すように、内パネル３０および断熱ボード３２のそれぞれには、ドア本体２１に形成された郵便投入口２３と対向する部位に切欠部３９が形成され、その切欠部３９に角形のガイド筒４０が組み込まれている。
【００３２】
図５乃至図８は、ガイド筒４０の組み込み部の詳細を示している。図示のように、ガイド筒４０は、角筒状の固定ガイド筒部４１と、その固定ガイド筒部４１内にスライド自在に嵌合された可動ガイド筒部４２とからなり、上記可動ガイド筒部４２の先端開口が郵便投入口２３に対向する組み込みとされている。
【００３３】
固定ガイド筒部４１は、後端開口部の両側および下側に外向きの折曲げ片４３が設けられ、その折曲げ片４３が内パネル３０の室内側面に衝合され、ねじ４４の締め付けによって内パネル３０に固定されている。
【００３４】
可動ガイド筒部４２の先端開口部内には内蓋４５が組み込まれている。内蓋４５は、可動ガイド筒部４２の天板内面に取り付けられたヒンジ４６に支持され、そのヒンジ４６を中心に揺動可能とされて郵便投入口２３を開閉するようになっている。
【００３５】
ヒンジ４６の取り付けに際し、ここでは、可動ガイド筒部４２の天板に長孔４７を形成し、その長孔４７に挿入されたビス４８の締め付けにより固定しており、上記ビス４８を弛めることによって長孔４７に沿って位置調整し得るようになっている。
【００３６】
ヒンジ４６にはキックばねからなる弾性部材４９が支持され、その弾性部材４９は内蓋４５を閉鎖位置に向けて付勢し、その付勢により内蓋４５は郵便投入口２３の室内側開口の周囲に設けられた弾性シール５０に弾性接触して気密性を保持するようになっている。
【００３７】
可動ガイド筒部４２は、固定ガイド筒部４１の相互間に設けられた固定手段６０によって内蓋４５が郵便投入口２３を閉鎖するスライド調整位置で固定される。
【００３８】
固定手段６０は、可動ガイド筒部４２の両側板に、その可動ガイド筒部４２のスライド方向に長く延びる長孔６１を上下に間隔をおいて複数設け、その長孔６１のそれぞれに挿入されて固定ガイド筒部４１にねじ込まれる固定ねじ６２の締め付けによって可動ガイド筒部４２を固定する構成としている。
【００３９】
内パネル３０の室内側面には郵便受箱７０が設けられている。郵便受箱７０は外周一面が開口し、その開口が内パネル３０に対向し、かつ、上側部において内パネル３０に形成された前述の切欠部３９の室内側開口の全体を覆う組み付けとされている。
【００４０】
また、郵便受箱７０は、取出し口７１を下部に有し、その取出し口７１を開閉する蓋体７２が郵便受箱７０の底板に取り付けられたヒンジ７３で開閉自在に支持されている。
【００４１】
郵便受箱７０の取り付けに際し、固定ガイド筒部４１の後端開口部の両側に設けられた前述の折曲げ片４３のそれぞれ外側縁に支持片５１を設け、その支持片５１が郵便受箱７０の両側板の内面に対向配置されるよう郵便受箱７０を内パネル３０の室内側面にあてがい、上記郵便受箱７０の外側方から上記支持片５１にねじ込まれるねじ５２の締め付けによって郵便受箱７０を固定している。
【００４２】
上記のように、内パネル３０に形成された切欠部３９に伸縮調整可能なガイド筒４０を組み込むことによって、ドア本体２１に厚さや形状が異なる如何なる内パネル３０が取り付けられたとしても、郵便受箱７０を内パネル３０の室内側面に取付け可能とすることができ、郵便受箱７０の取付けに常に体裁のよい取付け状態を得ることができる。
【００４３】
また、内パネル３０の室内側面に郵便受箱７０を設けることにより、その郵便受箱７０で切欠部３９の室内側開口の全体を覆うことができる。このため、切欠部３９の内周とガイド筒４０の外周間に形成される隙間を目隠し部材の取り付けによって閉塞する必要がなくなり、改修工事の容易化を図ることができる。
【００４４】
ここで、内蓋４５が郵便投入口２３を閉鎖する可動ガイド筒部４２のスライド調整位置で、ねじ６２の締め付けにより可動ガイド筒部４２を固定することにより、玄関ドア２０の開閉時に生じる振動等によってガイド筒４０が収縮するのを防止することができ、郵便投入口２３と内蓋４５の対向部間の気密性の維持に効果を挙げることができる。
【符号の説明】
【００４５】
２１  ドア本体
２２  補強部
２３  郵便投入箱
３０  内パネル
３２  断熱ボード
３９  切欠部
４０  ガイド筒
４１  固定ガイド筒部
４２  可動ガイド筒部
４５  内蓋
４９  弾性部材
５０  弾性シール
６０  固定手段
６１  長孔
６２  固定ねじ
７０  郵便受箱
【図１】
2015063832.tif 000003
【図２】
2015063832.tif 000004
【図３】
2015063832.tif 000005
【図４】
2015063832.tif 000006
【図５】
2015063832.tif 000007
【図６】
2015063832.tif 000008
【図７】
2015063832.tif 000009
【図８】
2015063832.tif 000010